(57)【要約】【課題】アークがアークランナに移動した後も消弧室側へのアークの駆動力を高めることができる回路遮断器を提供する。【解決手段】第１の固定接触子１及び第２の固定接触子２と、これらを橋絡する可動接触子３と、接点間に発生したアークを消弧する消弧室５と、前記第１の固定接触子１と第２の固定接触子２にそれぞれ形成されたアークランナ１ｂ、２ｂとを備えた回路遮断器において、前記アークランナ１ｂ、２ｂに、固定接点１ａ、２ａ側のアークを前記消弧室５、５側へ駆動するコ字状の磁性体１ｃ、２ｃを設ける。【選択図】図１
2012043565.tif 000002
【特許請求の範囲】
【請求項１】
第１の固定接点を有する第１の固定接触子と、第２の固定接点を有する第２の固定接触子と、前記第１および第２の固定接点にそれぞれ接触する可動接点を両端に有する可動接触子と、前記可動接触子の両端に配置され、前記第１および第２の固定接点と可動接点との間に発生したアークを消弧する消弧室と、前記第１及び第２の固定接触子にそれぞれ形成されたアークランナとを備えた回路遮断器において、
前記アークランナに、固定接点側のアークを前記消弧室側へ駆動するコ字状の磁性体を設けたことを特徴とする回路遮断器。
【請求項２】
前記磁性体は前記アークランナと一体に形成されていることを特徴とする請求項１に記載の回路遮断器。
【請求項３】
前記コ字状の磁性体を前記アークランナの反可動接触子側に配置したことを特徴とする請求項１に記載の回路遮断器。
【請求項４】
前記磁性体に絶縁カバーを設けたことを特徴とする請求項２または３に記載の回路遮断器。
【発明の詳細な説明】
【技術分野】
【０００１】
本発明は、互いに対向する一対の固定接触子とこれらの間を橋絡する可動接触子とからなる電流遮断部を各相ごとに備える回路遮断器に関する。
【背景技術】
【０００２】
この種の回路遮断器として、特許文献１に開示された構成が知られている。図７は、従来例を示す回路遮断器の電流遮断部の側面図である。
図において、回路遮断器の電流遮断部は、第1の固定接点１ａを有するＵ字状からなる第１の固定接触子１と、第２の固定接点２ａを有するＬ字状からなる第２の固定接触子２と、固定接点１ａ、２ａと接触する可動接点３ａ、３aを両端に有する可動接触子３と、Ｕ字状の磁性体からなる複数枚のグリッド４を有する消弧室５からなり、可動接触子３は接触スプリング６により第１及び第２の固定接触子１、２に押圧されている。
【０００３】
また、第１の固定接触子１の第１の固定接点１ａの先端にはアークランナ１ｂが形成されており、第２の固定接触子２の第２の固定接点２ａの先端にはアークランナ２ｂが形成されている。
【０００４】
消弧室５、５の間にはアーク転流板７が両消弧室５、５間に跨がるように配置されており、このアーク転流板７は接触スプリング６の受板にもなっている。さらに、可動接触子３の反固定接触子１，２側には前後一対のコ字状の磁性体８が配置され、該コ字状の磁性体８の両脚部の先端は閉極状態の可動接触子３を両側から隙間を介して挟んでいる。
【０００５】
上述した構成において、電流は、図示しない電源側端子から第一の固定接触子１、可動接触子３、第二の固定接触子２、図示しない過電流引外し装置を経て図示しない負荷側端子に流れる。
【０００６】
このような回路遮断器において、通電経路に短絡電流などの大電流が流れると、固定接触子１、２と可動接触子３の平行導体間に働く電磁反発力により、可動接触子３は接触スプリング６に抗して開離し、このとき接点１ａ、３ａ間と２ａ、３ａ間にアークが発生する。このアークは、アーク自身を流れる電流による電磁力や、グリッド４の働きにより消弧室５側に引き伸ばされる。その際、アークの固定接触子１、２側の足はアークランナ１ｂ、２ｂに移動した後、消弧室５の方向へ駆動される。また、アークの可動接触子３側の足はアーク転流板７に転流した後、消弧室５の方向へ駆動される。そして、アークはグリッド４により分断されて消弧される。
【０００７】
また、可動接点３ａの近傍にはコ字状の磁性体８が設けられており、大電流が流れた際に、可動接触子３を流れる電流の磁束をコ字状の磁性体８に集束させることにより、可動接触子３の開極速度を高めて遮断性能を向上させることができる。
【先行技術文献】
【特許文献】
【０００８】
【特許文献１】特許第２９６５０２５号公報
【発明の概要】
【発明が解決しようとする課題】
【０００９】
ところで、従来の回路遮断器において、遮断性能を向上させるには、接点間に発生したアークをより速く消弧室側へ駆動することが必要である。このためには、アーク自身による電磁力を利用して消弧室側へのアークの駆動力を増加させることが有効である。従来の回路遮断器では、第１及び第２の固定接触子の先端にアークランナを設け、接点間に発生した固定接点側のアークの足をアークランナに移動させることにより、アークを消弧室側へ駆動するようにしている。
【００１０】
しかしながら、固定接点側のアークの足がアークランナに移動した後では、アーク自身による電磁力だけでは消弧室側へのアークの駆動力が低下してしまい、これによって遮断性能が低下してしまうという欠点があった。
【００１１】
そこで、本発明の課題は、アークがアークランナに移動した後も消弧室側へのアークの駆動力を高めることができる回路遮断器を提供することにある。
【課題を解決するための手段】
【００１２】
上記課題を達成するために、本発明によれば、第１の固定接点を有する第１の固定接触子と、第２の固定接点を有する第２の固定接触子と、前記第１および第２の固定接点にそれぞれ接触する可動接点を両端に有する可動接触子と、前記可動接触子の両端に配置され、前記第１および第２の固定接点と可動接点との間に発生したアークを消弧する消弧室と、前記第１及び第２の固定接触子にそれぞれ形成されたアークランナとを備えた回路遮断器において、前記アークランナに、固定接点側のアークを前記消弧室側へ駆動するコ字状の磁性体を設けるようにする。
【００１３】
上記回路遮断器において、前記磁性体を前記アークランナと一体に形成することが好ましい。また、前記コ字状の磁性体を前記アークランナの反可動接触子側に配置するようにしてもよい。更に、前記磁性体に絶縁カバーを設けるようにしてもよい。
【発明の効果】
【００１４】
本発明によれば、アークランナに、固定接点側のアークを前記消弧室側へ駆動するコ字状の磁性体を設けたので、アークがアークランナに移動した後もアークの駆動力を高めることができ、遮断性能を向上させることができる。
【図面の簡単な説明】
【００１５】
【図１】本発明の第１の実施形態を示す回路遮断器のオフ状態を示す要部断面図
【図２】図１に示す電流遮断部の斜視図
【図３】図２に示す接点部周辺の斜視図
【図４】本発明の第２の実施形態を示す回路遮断器のオフ状態を示す要部断面図
【図５】図４に示す電流遮断部の斜視図
【図６】図５に示す接点部周辺の斜視図
【図７】従来例を示す回路遮断器の電流遮断部の側面図
【発明を実施するための形態】
【００１６】
以下、本発明の実施の形態を図１乃至図３に基づいて説明する。
図１は、本発明の第１の実施形態を示す回路遮断器のオフ状態を示す要部断面図、図２は、図１に示す電流遮断部の斜視図、図３は、図２に示す接点部周辺の斜視図である。なお、実施例の図中で図７に対応する部材には同じ符号を付して説明する。
【００１７】
図において、本実施形態の回路遮断器の電流遮断部は、第1の固定接点１ａを有するＵ字状からなる第１の固定接触子１と、第２の固定接点２ａを有するＵ字状からなる第２の固定接触子２と、固定接点１ａ、２ａと接触する可動接点３ａ、３ａを両端に有する可動接触子３と、接点間に発生したアークを消弧する消弧室５等から構成されている。
電流遮断部は、ケース１２ａとカバー１２ｂからなる本体ケース内に各相ごとに収納されている。
【００１８】
第１の固定接触子１と第２の固定接触子２は前後に対向して配置されており、可動接触子３は、両端がへ字状に屈曲された短冊状からなり、閉極状態で図示しない接触スプリングにより第1および第２の固定接触子１、２に押圧され、それらの間を橋絡している。開極時には可動接触子３は図示しないホルダ等を介して開閉機構により接触スプリングに抗して押し下げられる。
【００１９】
また、第１の固定接触子１の第１の固定接点１ａの先端と第２の固定接触子２の第２の固定接点２ａの先端には磁性体からなるアークランナ１ｂ、２ｂが形成されており、接点間に発生した固定接点１ａ、２ａ側のアークの足を前記固定接点１ａ、２ａからアークランナ１ｂ、２ｂに移動させることにより、大電流による固定接点１ａ、２ａの損傷を防止する。
【００２０】
そして、第１の固定接触子１は図示しない電源側端子に接続され、第２の固定接触子２は図示しない過電流引外し装置を経て図示しない負荷側端子に接続されている。
消弧室５は、図２に示すように、可動接触子３の両端にそれぞれ配置されており、Ｕ字状の磁性体からなる複数枚のグリッド４と、該グリッド４を支持するコ字状の絶縁物からなる支持体５ａとから構成されている。
【００２１】
また、消弧室５，５の間には、両消弧室５，５間に跨がるようにアーク転流板７が設けられており、接点間に発生した可動接点３ａ側のアークの足をアーク転流板７に転流させることにより、大電流による可動接触子３や可動接点３ａの損傷を防止する。
【００２２】
ここで、本実施形態では、第１の固定接触子１の第１の固定接点１ａの先端に形成されているアークランナ１ｂに、固定接点１ａ側のアークを消弧室５側へ駆動するコ字状の磁性体１ｃが設けられている。また、第２の固定接触子２の第２の固定接点２ａの先端に形成されているアークランナ２ｂにも、固定接点２ａ側のアークを消弧室５側へ駆動するコ字状の磁性体２ｃが設けられている。
【００２３】
本実施形態では、コ字状の磁性体１ｃはアークランナ１ｂと一体に形成されており、図３に示すように、アークランナ１ｂの両端から可動接触子３側に突出する一対の平板部１ｄ、１ｄを有している。また、同様に、コ字状の磁性体２ｃはアークランナ２ｂと一体に形成されており、図３に示すように、アークランナ２ｂの両端から可動接触子３側に突出する一対の平板部２ｄ、２ｄを有している。
【００２４】
コ字状の磁性体１ｃ、２ｃの平板部１ｄ、２ｄは、アークランナ１ｂ、２ｂに移動したアークを消弧室５，５側へ駆動できるように、アークランナ１ｂ、２ｂの全域、すなわち、固定接点１ａ，２ａが設けられている部分からアークランナ１ｂ、２ｂの先端部に渡って形成されている。
【００２５】
次に本発明の作用について説明する。
上述した構成において、通電経路に短絡電流などの大電流が流れると、第１および第２の固定接触子１、２と可動接触子３との間に電磁反発力が発生し、図１に示すように、可動接触子３が第１および第２の固定接触子１、２から開極し、第１の固定接点１ａと可動接点３ａの間と、第２の固定接点２ａと可動接点３ａの間にアーク１１が発生する。
【００２６】
第１の固定接点１ａと可動接点３ａとの間に発生したアーク１１は、固定接点側のアークの足が固定接点１ａからアークランナ１ｂに移動し、可動接点３ａ側のアークの足が可動接点３ａから可動接触子３の先端を経由してアーク転流板７に転流する。同様に、第２の固定接点２ａと可動接点３ａとの間に発生したアーク１１も、固定接点側のアークの足は固定接点２ａからアークランナ２ｂに移動し、可動接点３ａ側のアークの足は可動接点３ａから可動接触子３の先端を経由してアーク転流板７に転流する。このようにして、アークが継続している間は、転流した電流がアーク転流板７に流れる。
【００２７】
ここで、アークランナ１ｂ、２ｂには、コ字状の磁性体１ｃ、２ｃが設けられており、アークランナ１ｂ、２ｂを流れる電流による磁束がコ字状の磁性体１ｃ、２ｃに収束されるので、アークランナ１ｂ、２ｂに移動したアークは、コ字状の磁性体１ｃ、２ｃの作用により消弧室５、５側に駆動される。
【００２８】
そして、消弧室５、５側に駆動されたアーク１１は、グリッド４により分断されて消滅される。
このように本実施形態によれば、アークランナ１ｂ、２ｂにコ字状の磁性体１ｃ、２ｃを設けたので、アークランナ１ｂ、２ｂに移動したアークに作用する電磁力を高めることができる。これにより、アークを消弧室側へ高速に駆動することができ、遮断性能が向上する。
【００２９】
なお、磁性体１ｃの平板部１ｄ、１ｄ及び磁性体２ｃの平板部２ｄ、２ｄを絶縁カバーで覆うようにすれば、接点間に発生した固定接点側のアークが磁性体１ｃ、２ｃの平板部に点弧することを防止でき、固定接点側のアークをより確実にアークランナに移動させることができる。
【００３０】
次に本発明の第２の実施形態について図４〜図６を用いて説明する。
図４は、本発明の第２の実施形態を示す回路遮断器のオフ状態を示す要部断面図であり、図５は図４に示す電流遮断部の斜視図、図６は図５に示す接点部周辺の斜視図である。
【００３１】
第１の実施形態では、磁性体をアークランナと一体形成するようにしたが、この第２の実施形態では、コ字状の磁性体をアークランナとは別部材で形成するようにしている。
なお、その他の構成は、第１の実施形態と同じであるため、同一符号を付して詳細な説明は省略する。
【００３２】
図において、９は両端に平板部９ａ、９ａを有するコ字状の磁性体である。コ字状の磁性体９はＵ字状の第１の固定接触子１の間に挿入されており、平板部９ａ、９ａが可動接触子３側に突出するように、アークランナ１ｂの反可動接触子３側に配置されている。また、同様に、Ｕ字状の第２の固定接触子２の間にもコ字状の磁性体９が挿入されており、平板部９ａ、９ａが可動接触子３側に突出するように、コ字状の磁性体９がアークランナ２ｂの反可動接触子３側に配置されている。
【００３３】
コ字状の磁性体９は、アークランナ１ｂ、２ｂにかしめ、溶接、ねじ止めなどの固定手段により固定することができる。
上述した構成によれば、第１の実施形態と同様に、前記アークランナ１ｂ、２ｂにコ字状の磁性体９を設けたので、アークランナ１ｂ、２ｂに移動したアークに作用する電磁力をコ字状の磁性体９により高めることができる。これにより、アークを消弧室側へ高速に駆動することができ、遮断性能が向上する。
【００３４】
なお、第１の実施形態と同様に、コ字状の磁性体９の平板部９ａ、９ａを絶縁カバーで覆うようにすれば、接点間に発生した固定接点側のアークが磁性体９の平板部に点弧することを防止でき、固定接点側のアークをより確実にアークランナに移動させることができる。
【符号の説明】
【００３５】
１    第１の固定接触子
１ａ  第1の固定接点
１ｂ  アークランナ
１ｃ  磁性体
２    第２の固定接触子
２ａ  第２の固定接点
２ｂ  アークランナ
２ｃ  磁性体
３    可動接触子
３ａ  可動接点
５    消弧室
９    コ字状の磁性体
１１    アーク
【図１】
2012043565.tif 000003
【図２】
2012043565.tif 000004
【図３】
2012043565.tif 000005
【図４】
2012043565.tif 000006
【図５】
2012043565.tif 000007
【図６】
2012043565.tif 000008
【図７】
2012043565.tif 000009